(57)【要約】【課題】フープをテーブル等に安定した状態に保持することができ、熟練者でなくてもキルティング作業を容易に行うことができるフープホルダーを提供することにある。【解決手段】キルト１５を張る内フープ１１の外周に外フープ１２を嵌合して前記キルトを内フープと外フープとの間に挟み込み、前記キルトを緊張させるためのフープ１０を保持するフープホルダーであって、フープホルダー本体１６の一端部にテーブル１７等の縁部１７ａに嵌合する第１の嵌合溝１８を設け、他端部に前記フープの縁部と嵌合する第２の嵌合溝１９を設けたことを特徴とするフープホルダーにある。【選択図】    図２
2005015952.tif 000002
【特許請求の範囲】
【請求項１】
キルトを張る内フープの外周に外フープを嵌合して前記キルトを内フープと外フープとの間に挟み込み、前記キルトを緊張させるためのフープを保持するフープホルダーであって、
フープホルダー本体の一端部にテーブル等の縁部に嵌合する第１の嵌合溝を設け、他端部に前記フープの縁部と嵌合する第２の嵌合溝を設けたことを特徴とするフープホルダー。
【請求項２】
キルトを張る内フープの外周に外フープを嵌合して前記キルトを内フープと外フープとの間に挟み込み、前記キルトを緊張させるためのフープを保持するフープホルダーであって、
フープホルダー本体の一端部にテーブル等の縁部に嵌合する第１の嵌合溝を設け、他端部に前記フープの縁部と嵌合する第２の嵌合溝を設け、前記第１と第２の嵌合溝の内部に緩衝材を設けたことを特徴とするフープホルダー。
【請求項３】
キルトを張る内フープの外周に外フープを嵌合して前記キルトを内フープと外フープとの間に挟み込み、前記キルトを緊張させるためのフープを保持するフープホルダーであって、
フープホルダー本体の一端部にテーブル等の縁部に嵌合する第１の嵌合溝を設け、他端部に前記フープの縁部と嵌合する第２の嵌合溝を設け、
前記フープホルダー本体の上面に、針刺し具を収納する凹陥部を設けたことを特徴とするフープホルダー。
【発明の詳細な説明】
【０００１】
【発明の属する技術分野】
この発明は、キルティング作業に用いるフープをテーブルと作業者の腹部との間に安定した状態に保持するフープホルダーに関する。
【０００２】
【従来の技術】
例えば、２枚のキルト（生地）に芯を入れ、キルトの全体を模様風に刺子縫いするキルティング作業は、キルトを平面的に緊張した状態に保持する必要がある。そこで、キルティング作業には、従来からフープを用いている。フープは、直径が２５ｃｍ〜５０ｃｍの木製円環状枠で、内フープと外フープとからなり、外フープは円周の一部に切れ目が設けられ、蝶ねじの締め具合によって径が調節できるようになっている。
【０００３】
そして、フープにキルトを張る場合には、まず、内フープの上部にキルトを載せ、内フープの上方から外フープを嵌合してキルトを内フープと外フープとの間に挟み込み、キルトを緊張させた状態で、蝶ねじを締め付けることにより、キルトをフープに保持している。
【０００４】
キルトをフープに保持した後、キルティング作業を行う際には、作業者の身体の前部でキルトを略水平に保持すると、刺子縫いする際に作業がしやすい。そこで、座卓、コタツあるいは椅子に着座してテーブルを前にして作業する際には、フープの手前側を身体の腹部に押し当て、反対側をテーブル等の縁部に押し当て、テーブルと腹部でフープを挟み込んで略水平に保持して作業している。また、キルティング作業の進行に伴いフープを回して刺子縫いの位置を変えて作業している。
【０００５】
【発明が解決しようとする課題】
しかしながら、フープは一般的に木製の円環状体であり、外周面全体が曲率を持っている。一方、テーブルの縁部は長手方向及び幅方向に直線である場合が多く、しかも円弧状に縁取りされている。従って、フープの縁部をテーブルの縁部に押し当てた際に、フープが滑ってテーブルの上面側あるいは下面側に移動してしまったり、フープを略水平状態に安定した状態に保持するには熟練度が要求される。
【０００６】
この発明は、前記事情に着目してなされたもので、フープを用いてキルティング作業する際に、フープを安定した状態に保持することができ、熟練者でなくてもキルティング作業を容易に行うことができ、しかも廉価なフープホルダーを提供することを目的とする。
【０００７】
【課題を解決するための手段】
この発明は、前述した目的を達成するために、請求項１は、キルトを張る内フープの外周に外フープを嵌合して前記キルトを内フープと外フープとの間に挟み込み、前記キルトを緊張させるためのフープを保持するフープホルダーであって、フープホルダー本体の一端部にテーブル等の縁部に嵌合する第１の嵌合溝を設け、他端部に前記フープの縁部と嵌合する第２の嵌合溝を設けたことを特徴とする。
【０００８】
請求項２は、キルトを張る内フープの外周に外フープを嵌合して前記キルトを内フープと外フープとの間に挟み込み、前記キルトを緊張させるためのフープを保持するフープホルダーであって、フープホルダー本体の一端部にテーブル等の縁部に嵌合する第１の嵌合溝を設け、他端部に前記フープの縁部と嵌合する第２の嵌合溝を設け、前記第１と第２の嵌合溝の内部に緩衝材を設けたことを特徴とする。
【０００９】
請求項３は、キルトを張る内フープの外周に外フープを嵌合して前記キルトを内フープと外フープとの間に挟み込み、前記キルトを緊張させるためのフープを保持するフープホルダーであって、フープホルダー本体の一端部にテーブル等の縁部に嵌合する第１の嵌合溝を設け、他端部に前記フープの縁部と嵌合する第２の嵌合溝を設け、前記フープホルダー本体の上面に、針刺し具を収納する凹陥部を設けたことを特徴とする。
【００１０】
前記構成によれば、フープの手前側を身体の腹部に押し当て、反対側をテーブル等の縁部に押し当てるが、この際、フープホルダー本体の第１の嵌合溝をテーブルの縁部に嵌合し、第２の嵌合溝にフープの縁部を嵌合する。そして、腹部でフープをテーブルの縁部方向に軽く押圧すると、フープはフープホルダー本体と身体の腹部との間で挟み込んで略水平に保持される。
【００１１】
この状態で、作業者は、フープに緊張された状態に保持されたキルトに対して刺子縫いしてキルティング作業を行うことができる。この場合、身体の姿勢が多少動いても、フープが移動することはなく、作業性の向上を図ることができる。
【００１２】
【発明の実施の形態】
以下、この発明の実施の形態を図面に基づいて説明する。
【００１３】
図１〜図３はフープホルダーの第１の実施形態を示し、図１はフープ及びフープホルダーの斜視図、図２はフープホルダーの使用状態の縦断側面図、図３はフープホルダーの使用状態の説明図である。図１〜図３に示すように、フープ１０は、例えば、直径が４０〜５０ｃｍの木製円環状枠で、内フープ１１と外フープ１２とからなり、外フープ１２は円周の一部に切れ目１３が設けられ、蝶ねじ１４の締め具合によって径が調節できるようになっている。
【００１４】
そして、フープ１０にキルト１５を張る場合には、まず、内フープ１１の上部に刺子縫いしようとするキルト１５を載せ、内フープ１１の上方から外フープ１２を嵌合してキルト１５を内フープ１１と外フープ１２との間に挟み込む。次に、キルト１５を緊張させた状態で、蝶ねじ１４を締め付けることにより、キルト１５をフープ１０に保持する。
【００１５】
フープホルダー本体１６は、例えば木製の矩形ブロックで、外面はＲ面取りされている。フープホルダー本体１６は、平行の上面１６ａと下面１６ｂ、平行の前面１６ｃと後面１６ｄ及び平行の左側面１６ｅと右側面１６ｆを有している。フープホルダー本体１６の後面１６ｄにはテーブル１７の縁部１７ａに嵌合する第１の嵌合溝１８が横方向に貫通して設けられている。ここで言うテーブル１７とは座卓、コタツの天板、ダイニングテーブル、机の天板等であり、作業台を含むものであり、第１の嵌合溝１８はこれらのテーブル類の縁部に嵌合されるように３〜４ｃｍで、その深さは２ｃｍ前後である。
【００１６】
また、フープホルダー本体１６の前面１６ｃには前記フープ１０の縁部に嵌合する第２の嵌合溝１９が横方向に貫通して設けられている。第２の嵌合溝１９の高さ寸法はフープ１０の高さ寸法が３ｃｍであるとすると、上下に例えば５ｍｍ程度の隙間ができるように、例えば略４ｃｍに形成され、深さは例えば２ｃｍ〜３ｃｍに形成されている。従って、テーブル１７と椅子の高さ関係でフープ１０が前下がりあるいは後下がりに傾いてもフープ１０が第２の嵌合溝１９から外れることはなく、フープ１０を作業者の好みの傾き角度に傾斜して作業することもできる。
【００１７】
さらに、第１の嵌合溝１８の内面における上下面及び背面には緩衝材としてのラバー２０が貼り付けられている。また、第２の嵌合溝１９の内面における背面にも緩衝材としてのラバー２０が貼り付けられている。従って、第１の嵌合溝１８とテーブル１７の縁部１７ａとを嵌合させたときに、ラバー２０による緩衝作用によって滑ることなく安定した状態に保持でき、しかもテーブル１７の縁部１７ａに傷を付けないように形成されている。また、第２の嵌合溝１９とフープ１０とを嵌合させたときに、ラバー２０による緩衝作用によってフープ１０が上下方向及び回転方向に滑ることなく安定した状態に保持できるようになっている。
【００１８】
さらに、フープホルダー本体１６の上面１６ａの略中央部には凹陥部２１が設けられている。この凹陥部２１には針刺し具２２が収納できるようになっており、刺子縫いに使用する針（ピン）を刺すことができる。また、フープホルダー本体１６の下面１６ｂ、左側面１６ｅ、右側面１６ｆは平坦面に形成されているが、軽量化を図るためにくり抜いても良い。
【００１９】
前述のように構成されたフープホルダーを用いてキルティング作業を行う際には、図３に示すように、テーブル１７を前にして作業する。フープ１０の手前側を身体２３の腹部に押し当て、反対側をテーブル１７の縁部１７ａに押し当てるが、この際、フープホルダー本体１６の第１の嵌合溝１８をテーブル１７の縁部１７ａに嵌合し、第２の嵌合溝１９にフープ１０の縁部を嵌合する。そして、腹部でフープ１０をテーブル１７の縁部１７ａ方向に軽く押圧すると、フープ１０はフープホルダー本体１６と身体２３の腹部との間で挟み込んで略水平に保持される。
【００２０】
この状態で、作業者は、フープ１０に緊張された状態に保持されたキルト１５に対して刺子縫いしてキルティング作業を行うことができる。この場合、身体２３の姿勢が多少動いても、フープ１０をフープホルダー本体１６によって安定した状態に保持しているため、フープ１０が移動することはなく、作業性の向上を図ることができる。また、キルティング作業の進行に伴いフープ１０を回して刺子縫いの位置を変えて作業する場合においても、フープ１０の一部がフープホルダー本体１６の第２の嵌合溝１９に嵌合されている。従って、第２の嵌合溝１９に沿ってフープ１０を円周方向に回すことができ、この際に、フープ１０が滑ってテーブル１７の上面側あるいは下面側に移動してしまうことはなく、フープ１０を略水平状態に保ったままで回すことができ、熟練度が要求されない。
【００２１】
なお、前記実施形態においては、フープホルダー本体を木製の矩形ブロック形状としたが、円筒形状でもよく、また木製に限定されず、合成樹脂材料で成形してもよい。
【００２２】
また、第１の嵌合溝と第２の嵌合溝の高さ寸法を変えたが、同一寸法とし、第１の嵌合溝と第２の嵌合溝のうち、いずれか一方をテーブルに嵌合し、他方をフープに嵌合するようにしてもよく、このように構成すると、前後向きがないため、一層使い勝手がよい。
【００２３】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【００２４】
【発明の効果】
以上説明したように、この発明によれば、フープを用いてキルティング作業する際に、フープをテーブル等に安定した状態に保持することができ、熟練者でなくてもキルティング作業を容易に行うことができ、しかも構造的に簡単であるため、廉価に提供することができるという効果がある。
【図面の簡単な説明】
【図１】この発明の第１の実施形態のフープ及びフープホルダーの斜視図。
【図２】同実施形態のフープホルダーの使用状態の縦断側面図。
【図３】同実施形態のフープホルダーの使用状態の説明図。
【符号の説明】
１０…フープ、１１…内フープ、１２…外フープ、１５…キルト、１６…フープホルダー本体、１８…第１の嵌合溝、１９…第２の嵌合溝、２０…ラバー（緩衝材）
【図１】
2005015952.tif 000003
【図２】
2005015952.tif 000004
【図３】
2005015952.tif 000005